(57)【要約】【課題】携帯電子装置を携帯するだけで、予備メモリーカードも同時に携帯することができ、使用中のメモリーカードの記憶容量が不足しても、常に直ちに対処できるようにする。【解決手段】リアカバー２には、メモリーカード８の着脱が可能なスロット５が設けられている。メモリーカード８をスロット５に装着したときは、図示していないスロット５内に設けられた接続端子がメモリーカード８の電極に接触し、メモリーカード８が携帯電話無線機１の内部の回路に接続され、外部メモリーとして使用される。また、リアカバー２の外面には、電池４を収納し、着脱可能な電池カバー３で覆われる電池桶６が設けられている。また、電池桶６の底面には、予備のメモリーカード９を収納する収納凹部７を設けている。【選択図】      図１
2004199172.tif 000002
【特許請求の範囲】
【請求項１】
メモリーカードを装着し当該メモリーカードに接続するための接続端子を備えた接続用スロットと、予備のメモリーカードを収納するための予備用収納凹部とを含むことを特徴とするメモリーカードを利用可能な携帯電子装置。
【請求項２】
メモリーカードを装着し当該メモリーカードに接続するための接続端子を備えた接続用スロットと、予備のメモリーカードを収納するためのスロット状の予備用収納凹部とを含むことを特徴とするメモリーカードを利用可能な携帯電子装置。
【請求項３】
メモリーカードを装着し当該メモリーカードに接続するための接続端子を備えた接続用スロットと、電池を収納する電池桶と、この電池桶の内面に設けられ予備のメモリーカードを収容するための予備用収納凹部とを含むことを特徴とするメモリーカードを利用可能な携帯電子装置。
【請求項４】
メモリーカードを装着し当該メモリーカードに接続するための接続端子を備えた接続用スロットと、予備のメモリーカードを収納するための予備用収納凹部と、この予備用収納凹部に設けられこの予備用収納凹部に収納されたメモリーカードに接続するための予備用接続端子と、内部の回路を前記接続端子または前記予備用接続端子の一方に切り替えて接続するスイッチとを含むことを特徴とするメモリーカードを利用可能な携帯電子装置。
【請求項５】
メモリーカードを装着し当該メモリーカードに接続するための接続端子を備えた接続用スロットと、電池を収納する電池桶と、この電池桶の内面に設けられ予備のメモリーカードを収容するための予備用収納凹部と、この予備用収納凹部に設けられこの予備用収納凹部に収納されたメモリーカードに接続するための予備用接続端子と、内部の回路を前記接続端子または前記予備用接続端子の一方に切り替えて接続するスイッチとを含むことを特徴とするメモリーカードを利用可能な携帯電子装置。
【請求項６】
メモリーカードを装着し当該メモリーカードに接続するための接続端子を備えた接続用スロットと、電池を収納する電池桶と、この電池桶に収容され予備のメモリーカードを収納するための予備用収納凹部を備えた電池とを含むことを特徴とするメモリーカードを利用可能な携帯電子装置。
【請求項７】
携帯電子装置は携帯電話無線機であることを特徴とする請求項１〜６のいずれかに記載のメモリーカードを利用可能な携帯電子装置。
【請求項８】
携帯電子装置はデジタルカメラであることを特徴とする請求項１〜６のいずれかに記載のメモリーカードを利用可能な携帯電子装置。
【請求項９】
予備のメモリカードを収納するための予備用収納凹部を含むことを特徴とする電池。
【請求項１０】
前記接続用スロットにメモリーカードを装着し、前記予備用収納凹部に予備のメモリーカードを収納して、携帯電子装置が前記接続用スロットに収納したメモリーカードと前記接続端子を介してデータの遣り取りを行った後に、前記接続用スロットに装着するメモリーカードを前記予備用収納凹部に収納していた予備のメモリーカードに交換することを特徴とする請求項１〜８のいずれかに記載のメモリーカードを利用可能な携帯電子装置の使用方法。
【請求項１１】
前記接続用スロットにメモリーカードを装着し、前記予備用収納凹部に予備のメモリーカードを収納し、前記スイッチにより前記接続端子を前記内部の回路に接続して、前記内部の回路が前記接続用スロットに装着したメモリーカードと前記接続端子を介してデータの遣り取りを行った後に、前記スイッチにより前記予備用接続端子を前記内部の回路に接続して、前記内部の回路が前記予備用収納凹部に収納した予備のメモリーカードと前記予備用接続端子を介してデータの遣り取りを行うことを特徴とする請求項４または５に記載のメモリーカードを利用可能な携帯電子装置の使用方法。
【発明の詳細な説明】
【０００１】
【発明の属する技術分野】
本発明は、メモリーカードを利用可能な携帯電子装置およびその使用方法ならびに電池に関し、特にスロットに収納し接続端子で接続したメモリーカードとデータの遣り取りを行うことのできる携帯電話無線機やデジタルカメラおよびこれらの使用方法ならびにこれらに使用される電池に関する。
【０００２】
【従来の技術】
従来の携帯電話無線機は、既存の技術である内蔵するカメラにより撮影した画像データ、またはダウンロードされた音楽データ等を保存する為の外部メモリーとしてメモリーカードを使用している。
【０００３】
図７は、従来の携帯電話無線機５３の分解斜視図であり、図８は図７に示すＣＣ断面図である。
【０００４】
従来の携帯電話無線機５３は、筐体５７および５８がヒンジ２５により折り畳み可能に連結され、筐体５７はリアカバー５４およびフロントカバー５９からなる。
【０００５】
リアカバー５４には、メモリーカード８の着脱が可能なスロット５が設けられている。メモリーカード８をスロット５に装着したときは、図示していないスロット５内に設けられた接続端子がメモリーカード８の電極に接触し、メモリーカード８が携帯電話無線機の内部の回路に接続され、外部メモリーとして使用される。
【０００６】
また、リアカバー５４の外面には、電池４を収納し、着脱可能な電池カバー３で覆われる電池桶６が設けられている。この従来の携帯電話無線機５３では、リアカバー５４と電池４とが接し、電池４とカバー３とが接する構造になっており、予備のメモリーカードを収納するスペースを有していなかった。
【０００７】
このように従来の携帯電話無線機５３では、スロット５に現用のメモリーカード８を装着するだけで、電池桶６およびその他の部分においても予備のメモリーカードを収納することはなかった。
【０００８】
特許文献１には、携帯電話無線機に装着される電池に凹状の第一のカード装着部および穴（スロット）状の第二のカード装着部を設け、これら第一および第二のカード装着部それぞれにメモリーカードを収納できるようにしているが、これらのメモリーカードは共に内部の回路に接続されて現用の外部メモリーとして使用されるものであり、やはり予備のメモリーカードを保持していることはない。
【０００９】
【特許文献１】
特開２０００‐２５３１１９号公報（段落００４７、図５）
【００１０】
【発明が解決しようとする課題】
従来の携帯電話無線機等の携帯電子装置では、多量のデータを取り扱い、記憶させるときに、１枚のメモリーカードでは記憶容量が不足する場合には、予備のメモリーカードを携帯電話無線機と個別に携帯する必要があった。また予備のメモリーカードを携帯していない場合には、スロットに収納したメモリーカード内の既存のデータを削除して必要な記憶量を確保しなければならなかった。
【００１１】
本発明の目的は、携帯電話無線機等の携帯電子装置を携帯するだけで、予備メモリーカードも同時に携帯することができ、大量の記憶量が必要になったときでも、スロットに収納しているメモリーカードの既存のデータを削除しなければならないという煩わしさも不要となる携帯電子装置を提供することにある。
【００１２】
【課題を解決するための手段】
請求項１に係る発明のメモリーカードを利用可能な携帯電子装置は、メモリーカード（図１の８）を装着し当該メモリーカードに接続するための接続端子を備えた接続用スロット（図１の５）と、予備のメモリーカード（図１の９）を収納するための予備用収納凹部（図１の７）とを含むことを特徴とする。
【００１３】
請求項２に係る発明のメモリーカードを利用可能な携帯電子装置は、メモリーカード（図６の１９）を装着し当該メモリーカードに接続するための接続端子を備えた接続用スロット（図６の２０）と、予備のメモリーカード（図６の２２）を収納するためのスロット状の予備用収納凹部（図６の２１）とを含むことを特徴とする。
【００１４】
請求項３に係る発明のメモリーカードを利用可能な携帯電子装置は、メモリーカード（図１の８）を装着し当該メモリーカードに接続するための接続端子を備えた接続用スロット（図１の５）と、電池（図１の４）を収納する電池桶（図１の６）と、この電池桶の内面に設けられ予備のメモリーカード（図１の９）を収容するための予備用収納凹部（図１の７）とを含むことを特徴とする。
【００１５】
請求項４に係る発明のメモリーカードを利用可能な携帯電子装置は、メモリーカード（図１の８）を装着し当該メモリーカードに接続するための接続端子を備えた接続用スロット（図５の５）と、予備のメモリーカード（図５の９）を収納するための予備用収納凹部（図５の１５）と、この予備用収納凹部に設けられこの予備用収納凹部に収納されたメモリーカードに接続するための予備用接続端子（図５の１６）と、内部の回路を前記接続端子または前記予備用接続端子の一方に切り替えて接続するスイッチとをを含むことを特徴とする。
【００１６】
請求項５に係る発明のメモリーカードを利用可能な携帯電子装置は、メモリーカード（図１の８）を装着し当該メモリーカードに接続するための接続端子を備えた接続用スロット（図５の５）と、電池（図５の４）を収納する電池桶（図５の１５）と、この電池桶の内面に設けられ予備のメモリーカード（図５の９）を収容するための予備用収納凹部（図５の１５）と、この予備用収納凹部に設けられこの予備用収納凹部に収納されたメモリーカードに接続するための予備用接続端子（図５の１６）と、内部の回路を前記接続端子または前記予備用接続端子の一方に切り替えて接続するスイッチとを含むことを特徴とする。
【００１７】
請求項６に係る発明のメモリーカードを利用可能な携帯電子装置は、メモリーカード（図１の８）を装着し当該メモリーカードに接続するための接続端子を備えた接続用スロット（図３の５）と、電池を収納する電池桶（図３の６１）と、この電池桶に収容され予備のメモリーカード（図３の９）を収納するための予備用収納凹部（図３の１２）を備えた電池（図３の１１）とを含むことを特徴とする。
【００１８】
請求項７に係る発明は、請求項１〜６のいずれかに係る発明のメモリーカードを利用可能な携帯電子装置であって、携帯電子装置は携帯電話無線機（図１の１）であることを特徴とする。
【００１９】
請求項８に係る発明は、請求項１〜６のいずれかに係る発明のメモリーカードを利用可能な携帯電子装置であって、携帯電子装置はデジタルカメラ（図６の１８）であることを特徴とする。
【００２０】
請求項９に係る発明の電池は、予備のメモリカード（図３の９）を収納するための予備用収納凹部（図３の１２）を含むことを特徴とする。
【００２１】
請求項１０に係る発明は、請求項１〜８のいずれかに係る発明のメモリーカードを利用可能な携帯電子装置の使用方法であって、前記接続用スロットにメモリーカードを装着し、前記予備用収納凹部に予備のメモリーカードを収納して、携帯電子装置が前記接続用スロットに収納したメモリーカードと前記接続端子を介してデータの遣り取りを行った後に、前記接続用スロットに装着するメモリーカードを前記予備用収納凹部に収納していた予備のメモリーカードに交換することを特徴とする。
【００２２】
請求項１１に係る発明は、請求項４または５に係る発明のメモリーカードを利用可能な携帯電子装置の使用方法であって、前記接続用スロットにメモリーカードを装着し、前記予備用収納凹部に予備のメモリーカードを収納し、前記スイッチにより前記接続端子を前記内部の回路に接続して、前記内部の回路が前記接続用スロットに装着したメモリーカードと前記接続端子を介してデータの遣り取りを行った後に、前記スイッチにより前記予備用接続端子を前記内部の回路に接続して、前記内部の回路が前記予備用収納凹部に収納した予備のメモリーカードと前記予備用接続端子を介してデータの遣り取りを行うことを特徴とする。
【００２３】
【発明の実施の形態】
次に、本発明の実施の形態について図面を参照して詳細に説明する。
【００２４】
図１は、本発明の第一の実施の形態の携帯電話無線機１の分解斜視図であり、図２は、図１に示すＡＡ断面図である。
【００２５】
本実施の形態の携帯電話無線機１は、筐体２３および２４がヒンジ２５により折り畳み可能に連結され、筐体２３はリアカバー２およびフロントカバー２６からなる。
【００２６】
リアカバー２には、メモリーカード８の着脱が可能なスロット５が設けられている。メモリーカード８をスロット５に装着したときは、図示していないスロット５内に設けられた接続端子がメモリーカード８の電極に接触し、メモリーカード８が携帯電話無線機１の内部の回路に接続され、外部メモリーとして使用される。
【００２７】
また、リアカバー２の外面には、電池４を収納し、着脱可能な電池カバー３で覆われる電池桶６が設けられている。また、電池桶６の底面には、予備のメモリーカード９を収納する収納凹部７を設けている。
【００２８】
次に、本実施の形態の携帯電話無線機１の使用方法について説明する。
【００２９】
予め、スロット５にメモリーカード８を装着し、予備のメモリーカード９を収納凹部７に収納しておく。
【００３０】
ユーザーは、携帯電話無線機１に備えられたカメラによる撮影、 音楽データのダウンロード等を行い、スロット５に装着されたメモリーカード８に撮影やダウンロードにより得られたデータを保存する。メモリーカード８の使用容量がいっぱいになり、さらにデータを保存できなくなった場合、携帯電話無線機１の電池桶６から電池カバー３、電池４を取り外し、電池桶６内の収納凹部７から、予備のメモリーカード９を取り出す。スロット５に装着していたメモリーカード８を取り出し、予備のメモリーカード９と交換する。
【００３１】
使用済みのメモリーカード８は、予備のメモリーカード９が収納されていた収納凹部７に収納する。電池４、電池カバー３を、再度携帯電話無線機１の電池桶６に装着させることで、図２に示すように、メモリーカード８をリアカバー２と電池４により固定し、携帯電話無線機１に収納する。
【００３２】
収納凹部７に収納した使用済みのメモリーカード８は、新しい予備のメモリーカードが入手可能なときに、その新しい予備のメモリーカードに交換しておく。
【００３３】
図３は、本発明の第二の実施の形態の携帯電話無線機１０の分解斜視図であり、図４は図３に示すＢＢ断面図である。
【００３４】
本実施の形態の携帯電話無線機１０は、電池１１以外は、図７および図８に示した携帯電話無線機５３と同じである。携帯電話無線機１０の電池１１には、予備のメモリーカード８を収納する収納凹部１２を設けている。図４に示すように電池カバー３と電池１１で予備のメモリーカード８を固定することができる。
【００３５】
本実施の形態の携帯電話無線機１０の使用方法も第一の実施の形態の場合とほぼ同じであるが、スロット５に装着した現用のメモリーカード８を予備のメモリーカード９と交換するときは、電池桶６１から電池カバー３を取り外して収納凹部１２から予備のメモリーカード９を取り出して行い、使用済みのメモリーカード８を収納凹部１２に収納して電池カバー３を電池桶６１に取り付ける。
【００３６】
このように、本実施の形態では、メモリーカード８、９の交換において、第一の実施の形態の場合より、電池４を取り外し、再度取り付けるという動作を削除でき、しかも同様の効果を得ることができる。
【００３７】
図５は、本発明の第三の実施の形態の携帯電話無線機３０の分解斜視図である。
【００３８】
本実施の形態は、図１に示した第一の実施の形態の携帯電話無線機１とは、収納凹部１５に接続端子１６を設けたことに関するほかは同一である。
【００３９】
携帯電話無線機３０は、図５に示すように、電池桶６の底面に設けた収納凹部１５に、予備のメモリーカード９の電極と接触するための予備用接続端子１６を設け、図示していないスイッチにより、携帯電話無線機３０の内部の回路を予備用接続端子１６またはスロット５内に設けられた接続端子のいずれかに切り替えて接続することができる。
【００４０】
本実施の形態の携帯電話無線機３０の使用方法は、予め、スロット５に現用のメモリーカード８を装着し、収納凹部１５に予備のメモリーカード９を収納し、上述のスイッチにより携帯電話無線機３０の内部回路をスロット５に設けられた接続端子に接続しておく。この状態でメモリーカード８にデータを記憶し、スロット５に装着した現用のメモリーカード８の使用容量がいっぱいになった時等に、使用するメモリーカードを交換する場合は、上述のスイッチにより、携帯電話無線機３０の内部回路をスロット５の側から予備用接続端子１６に切り替えることにより、メモリーカード８から予備のメモリーカード９へ使用を切り替えることができる。
【００４１】
このように本実施の形態の携帯電話無線機３０では、スロット５に装着されたメモリーカードそのものを交換する作業なしで、スイッチの切り換えだけで使用するメモリーカードを交換できる。
【００４２】
図６は、本発明の第四の実施の形態のデジタルカメラ１８の分解斜視図である。
【００４３】
図６において、デジタルカメラ１８には、接続用のスロット２０のほかにスロット状の収納凹部２１も設けている。スロット２０および収納凹部２１の開口部には、開閉可能な蓋２７が設けられている。スロット２０に装着されたメモリーカード１９は、スロット２０内に設けられた接続端子を介して内部回路（いずれも図示せず）に接続される。予備のメモリーカード２２を収納凹部２１に収納しておく。したがって、デジタルカメラ１８を使用していて、スロット２０のメモリーカード１９の記憶容量が不足したときは、メモリーカード１９を、その場で予備のメモリーカード２２に交換できる。
【００４４】
なお、携帯電話無線機においても、接続用スロットのほかにスロット状の収納凹部を設けるようにすることもできる。
【００４５】
また、スロット状の収納凹部に予備用接続端子を設け、接続用スロットの接続端子および収納凹部の予備用接続端子のいずれかを、スイッチで切り替えて内部回路に接続するようにすることもできる。
【００４６】
【発明の効果】
本発明は、携帯電話無線機等の携帯電子装置の予備用収納凹部に予備のメモリーカードを収納しておくことにより、接続用スロットに装着したメモリーカードの記憶容量が不足した場合に、常にその場で予備のメモリーカードに交換でき、メモリーカード内の既存のデータを削除するようなことが不要になるという効果がある。
【図面の簡単な説明】
【図１】本発明の第一の実施の形態の携帯電話無線機１の分解斜視図である。
【図２】図１のＡＡ断面図である。
【図３】本発明の第二の実施の形態の携帯電話無線機１０の分解斜視図である。
【図４】図３のＢＢ断面図である。
【図５】本発明の第三の実施の形態の携帯電話無線機３０の分解斜視図である。
【図６】本発明の第四の実施の形態のデジタルカメラ１８の分解斜視図である。
【図７】従来の携帯電話無線機５３の分解斜視図である。
【図８】図７のＣＣ断面図である。
【符号の説明】
１    携帯電話無線機
２    リアカバー
３    電池カバー
４    電池
５    スロット
６    電池桶
７    収納凹部
８    メモリーカード
９    予備のメモリーカード
１０    携帯電話無線機
１１    電池
１２    収納凹部
１５    収納凹部
１６    予備用接続端子
１８    デジタルカメラ
１９    メモリーカード
２０    スロット
２１    収納凹部
２２    予備のメモリーカード
２３    筐体
２４    筐体
２５    ヒンジ
２６    フロントカバー
２７    蓋
５３    携帯電話無線機
５７    筐体
５８    筐体
６１    電池桶
【図１】
2004199172.tif 000003
【図２】
2004199172.tif 000004
【図３】
2004199172.tif 000005
【図４】
2004199172.tif 000006
【図５】
2004199172.tif 000007
【図６】
2004199172.tif 000008
【図７】
2004199172.tif 000009
【図８】
2004199172.tif 000010